【手続補正書】
【提出日】平成22年1月25日(2010.1.25)
【手続補正１】
【補正対象書類名】明細書
【補正対象項目名】００３２
【補正方法】変更
【補正の内容】
【００３２】
上記図３（ａ）に示される構成は、遅延器Ｄ１の入力データと、遅延器Ｄ１〜Ｄ７の出力データを配列させた８ビットのデータを、そのビットパターンに対して線形に対応する１６ビットのビットパターンに変換して出力しているものであると見ることができる。このことに基づき、ノイズキャンセル用デジタルフィルタ３０としては、図３（ｂ）に示すように、遅延器Ｄ１〜Ｄ７と、ＲＯＭ６０とにより構成することができる。
図３（ｂ）では、シフトレジスタの出力としてみなされる、同じタイミングでの１ビットの遅延器Ｄ１の入力データと、各１ビットの遅延器Ｄ１〜Ｄ７の出力データの各々とにより、８ビットのデータを形成することとして、この８ビットのデータにより、ＲＯＭ６０のアドレス（address）を指定させるようにする。８ビットにより表現できるビットパターンは２５６通りとなるので、ＲＯＭ６０のアドレスとしては、０〜２５５までを設定することになる。そして、ＲＯＭ６０においては、アドレス０〜２５５ごとに対応させて、しかるべき１６ビットのビットパターンを記憶させておくようにする。
このような構成により、１サンプルごとのタイミングでＲＯＭ６０に対してアドレス０〜２５５を指定し、この指定したアドレスに対応した１６ビットのビットパターンのデータをＲＯＭ６０から読み出すという動作が得られることになる。このようにして読み出される１６ビットのデータを、本実施の形態のノイズキャンセル用デジタルフィルタ３０の出力とするものである。
このような構成では、図３（ａ）におけるような係数器ｈ０〜ｈ７及び加算器Ｐが省略され、これらの処理は、指定されたアドレスからのＲＯＭ６０に対する読み出しとして実現されることになり、回路規模は簡易なものとなる。
【手続補正２】
【補正対象書類名】明細書
【補正対象項目名】００３７
【補正方法】変更
【補正の内容】
【００３７】
合成器４２では、オーバーサンプリングフィルタ４１により[16Fs，16bit]にオーバーサンプリングされたデジタルオーディオソースの信号信号と、ノイズキャンセル用デジタルフィルタ３０から出力された[16Fs，16bit]のノイズキャンセル用オーディオ信号とが合成され、その合成された信号がデルタシグマ変調器４３に入力される。
【手続補正３】
【補正対象書類名】明細書
【補正対象項目名】００３９
【補正方法】変更
【補正の内容】
【００３９】
また、第２の実施の形態における変形例として、次のようなものを考えることができる。
例えば、オーバーサンプリングフィルタ４１について、図示するようにして、アップサンプル回路４６ａ〜４６ｄを直列に多段接続させたものとして形成する。ここでは、アップサンプル回路４６ａ〜４６ｄのそれぞれは、サンプリング周波数を2倍に変換するものとされており、このようなアップサンプル回路を4段接続することで、[1Fs，16bit]の入力信号を、[16(＝2×2×2×2)Fs，16bit]の形式により出力できるようにされている。
そのうえで、ノイズキャンセル用デジタルフィルタ３０によっては、デシメーションフィルタ３０ａにより、64Fsのサンプリング周波数による入力信号を、16Fsよりも低い、８Fs、４Fs、あるいは２Fsによる16ビットの信号に変換して出力するようにされる。そして、この信号を、そのサンプリング周波数に応じて、オーバーサンプリングフィルタ４１における所定のアップサンプル回路に入力させるようにして構成する。
例えば、ノイズキャンセル用デジタルフィルタ３０の出力を[８Fs，16bit]の信号としたのであれば、オーバーサンプリングフィルタ４１においてアップサンプル回路４６ｄの前段に合成器４７ｃを挿入し、ここで、ノイズキャンセル用デジタルフィルタ３０の出力信号と、アップサンプル回路４６ｃの出力とを合成したうえで、アップサンプル回路４６ｄに出力させるように構成する。このような構成によると、合成器４７ｃにより、[８Fs，16bit]にまでアップサンプリングされたデジタルオーディオソースの信号と、同じ[８Fs，16bit]の形式によるノイズキャンセル用デジタルフィルタ３０の信号とが合成されることになる。そして、この合成信号がアップサンプル回路４６ｄを通過することで、最終的には、[16Fs，16bit]のオーディオ信号としてデルタシグマ変調器４３に入力させることができる（この場合、合成器４２は省略して良い）。
同様にして、ノイズキャンセル用デジタルフィルタ３０の出力を[4Fs，16bit]の信号としたのであれば、オーバーサンプリングフィルタ４１においてアップサンプル回路４６ｃの前段に合成器４７ｂを挿入し、ここで、ノイズキャンセル用デジタルフィルタ３０の出力信号と、アップサンプル回路４６ｂの出力とを合成して、アップサンプル回路４６ｃに出力させるように構成することになる。
あるいは、ノイズキャンセル用デジタルフィルタ３０の出力を[2Fs，16bit]の信号としたのであれば、オーバーサンプリングフィルタ４１においてアップサンプル回路４６ｂの前段に合成器４７ａを挿入し、ここで、ノイズキャンセル用デジタルフィルタ３０の出力信号と、アップサンプル回路４６ａの出力とを合成して、アップサンプル回路４６ｂに出力させるように構成する。
これらの変形例では、例えば１サンプリング周期あたりの演算ステップ数が増えることになるので、ノイズキャンセル用デジタルフィルタ３０において１サンプリング周期内の必要演算量が大きくなった場合に、システムのクロック周波数を上げることなく、所望のフィルタ特性を実現できるという利点がある。
【手続補正４】
【補正対象書類名】明細書
【補正対象項目名】００４０
【補正方法】変更
【補正の内容】
【００４０】
なお、第１の実施の形態において、ノイズキャンセル用デジタルフィルタ３０から出力されるノイズキャンセル用オーディオ信号のサンプリング周波数は、Ｄ／Ａコンバータ部４０Ａ側のデルタシグマ変調器４３が扱う信号のサンプリング周波数と同じになるべきであることを説明したが、上記の変形例の場合には、ノイズキャンセル用オーディオ信号のサンプリング周波数のほうが、デルタシグマ変調器４３が扱う信号のサンプリング周波数よりも低いという関係になる。ただし、ノイズキャンセル用オーディオ信号が経由するオーバーサンプリングフィルタ４１内のアップサンプル回路までを、ノイズキャンセル用デジタルフィルタの構成部分として含めることとして考えれば、この場合にも、ノイズキャンセル用オーディオ信号のサンプリング周波数は、Ｄ／Ａコンバータ部４０Ａ側のデルタシグマ変調器４３が扱う信号のサンプリング周波数は同じである、ということが成り立つものである。
また、この変形例の構成においては、ノイズキャンセル用オーディオ信号が、オーバーサンプリングフィルタ４１の一部を通過することになり、例えばオーバーサンプリングフィルタ４１を全く経由しない場合と比較すれば、その分の遅延は生じる。しかしながら、図１のようにしてオーバーサンプリングフィルタ１５ａを完全に通過する場合と比較すれば、Ｄ／Ａコンバータ部側においても遅延量が低減されるという効果が得られているものである。
【手続補正５】
【補正対象書類名】明細書
【補正対象項目名】００４９
【補正方法】変更
【補正の内容】
【００４９】
フィードバック方式の場合には、図において模式的に示すようにして、マイクロフォン１１は、ドライバ１７ａから出力される音を、ヘッドフォン装着者の耳の近傍にて収音するようにして設けられる。ここで収音される音には、ドライバから出力される音とともに、例えばヘッドフォン装置の筐体にまで侵入してヘッドフォン装置者の耳に聴こえようとする外部音の成分も含まれている。このようにして収音された音の信号がアンプ１２により増幅されアナログ音声信号とされ、さらにＡ／Ｄコンバータ部２０のデルタシグマ変調器２１により、[64Fs，1bit]によるデジタル音声信号に変換され、ノイズキャンセル用デジタルフィルタ３０に対して入力される。